(57)【特許請求の範囲】
【請求項１】
スピーカ及びマイクを有し、緊急通報スイッチ、エアバッグセンサ又は衝突センサからの作動信号を受けて緊急通報センタへ緊急通報を行うと共に前記センタと前記スピーカ及びマイクを介し通話可能な緊急通報システム端末装置であって、
前記スピーカの音量及び前記マイクの感度を制御する出力制御手段を有し、
前記緊急通報スイッチからの入力により当該緊急通報システム端末装置が作動したとき、前記出力制御手段は、エアバッグセンサ又は衝突センサからの出力により作動したときよりも、前記スピーカの音量及び前記マイクの感度を下げること、
を特徴とする緊急通報システム端末装置。
【請求項２】
スピーカ及びマイクを有し、緊急通報スイッチ、エアバッグセンサ又は衝突センサからの作動信号を受けて緊急通報センタへ緊急通報を行うと共に前記センタと前記スピーカ及びマイクを介し通話可能な緊急通報システム端末装置であって、
当該緊急通報システム端末装置の動作を確認するための動作確認スイッチと、
前記スピーカの音量及び前記マイクの感度を制御する出力制御手段とを有し、
前記動作確認スイッチからの入力により当該緊急通報システム端末装置が作動したとき、前記出力制御手段は、エアバッグセンサ又は衝突センサからの出力により作動したときよりも、前記スピーカの音量及び前記マイクの感度を下げること、
を特徴とする緊急通報システム端末装置。
【請求項３】
スピーカ及びマイクを有し、緊急通報スイッチ、エアバッグセンサ又は衝突センサからの作動信号を受けて緊急通報センタへ緊急通報を行うと共に前記センタと前記スピーカ及びマイクを介し通話可能な緊急通報システム端末装置であって、
当該緊急通報システム端末装置の動作を確認するための動作確認スイッチと、
前記スピーカの音量及び前記マイクの感度を制御する出力制御手段とを有し、
前記緊急通報スイッチ又は前記動作確認スイッチからの入力により当該緊急通報システム端末装置が作動したとき、前記出力制御手段は、エアバッグセンサ又は衝突センサからの出力により作動したときよりも、前記スピーカの音量及び前記マイクの感度を下げること、
を特徴とする緊急通報システム端末装置。
【発明の詳細な説明】
【技術分野】
【０００１】
本発明は、緊急通報システム端末装置に関する。
【背景技術】
【０００２】
従来から、事故発生時などエアバッグが起動された場合や緊急通報のための緊急通報ボタンが押下された場合等に、車両から無線通信システムを利用してセンタへ緊急通報を行う緊急通報システムが知られている（例えば、特許文献１参照）。センタを介して警察署や消防署などの緊急通報先が予め登録されていて、緊急通報が発信されると、車両からセンタを介してその登録された緊急通報先に緊急通報がなされる。またこのシステムにおいて、車輌に搭載されるマイク、スピーカ、表示画面などを通じて、センタのオペレータとの会話も可能となっている。
【０００３】
緊急通報システムが作動すると、作動開始音とともに例えば、「緊急通報システムを開始します」といった音声案内がスピーカから流される。また、センタのオペレータとの会話音声もスピーカから流されるが、この際の音量については、比較的大音量で出力されるように設定されていることが多い。その理由としては、単に緊急時であるからという理由だけでなく他にもいくつか考えられる。
【０００４】
例えば、車輌事故時において、車内にとどまっては危険な場合は、迅速に車外に避難する必要があり、特に高速道路などでの事故では、後続車追突の危険性があるため、乗車者は車外に出てガードレールの外などの安全な場所に退避することとされている。このような場合でも車外から緊急通報システムによる音声が聞こえるようにということから、大きい音量に設定されている。また、緊急通報システムが作動するような場面では、事故であったり急病時であったりととにかく緊急を要する場面であるから、オーディオを操作する如く音声の音量調整まで行われないだろうということにもよる。従って、緊急通報システムにおける緊急通報システム端末装置（車輌側搭載の端末装置）では、音量調整自体ができない仕様となっている場合も多い。
【特許文献１】特開２００４−２８２３００号公報
【発明の開示】
【発明が解決しようとする課題】
【０００５】
しかしながら、上述の如く従来及び特許文献１に記載される緊急通報システム端末装置は、出力される音声音量にまで配慮がなされていなかった。即ち、時に音量が不必要に大き過ぎることがあり、さらにスピーカの音割れによる音質劣化などが発生して、利用者にとって不快を感じる場合がある。例えば、乗車者の手動操作による緊急システム作動時は、衝突事故でなく急病時などが想定されるが、乗車者は車内に乗車しており、緊急システム作動音やオペレータとの会話音量は必ずしも大音量である必要はない。また、オペレータからすれば音声を拾うマイク感度についても高感度であると雑音等も拾われるのでむしろ会話を聞き取りにくくなってしまう。
【０００６】
本発明では上記のような問題に鑑みて、動作する状況に応じて、スピーカ音量及びマイク感度を好適に変更する緊急通報システム端末装置を提供することを目的とする。
【課題を解決するための手段】
【０００７】
上記目的を達成するため、第１の発明に係る緊急通報システム端末装置は、スピーカ及びマイクを有し、緊急通報スイッチ、エアバッグセンサ又は衝突センサからの作動信号を受けて緊急通報センタへ緊急通報を行うと共に前記センタと前記スピーカ及びマイクを介し通話可能な緊急通報システム端末装置であって、
前記スピーカの音量及び前記マイクの感度を制御する出力制御手段を有し、
前記緊急通報スイッチからの入力により当該緊急通報システム端末装置が作動したとき、前記出力制御手段は、エアバッグセンサ又は衝突センサからの出力により作動したときよりも、前記スピーカの音量及び前記マイクの感度を下げることを特徴とする。
【０００８】
第２の発明に係る緊急通報システム端末装置は、スピーカ及びマイクを有し、緊急通報スイッチ、エアバッグセンサ又は衝突センサからの作動信号を受けて緊急通報センタへ緊急通報を行うと共に前記センタと前記スピーカ及びマイクを介し通話可能な緊急通報システム端末装置であって、
当該緊急通報システム端末装置の動作を確認するための動作確認スイッチと、
前記スピーカの音量及び前記マイクの感度を制御する出力制御手段とを有し、
前記動作確認スイッチからの入力により当該緊急通報システム端末装置が作動したとき、前記出力制御手段は、エアバッグセンサ又は衝突センサからの出力により作動したときよりも、前記スピーカの音量及び前記マイクの感度を下げることを特徴とする。
【０００９】
第３の発明に係る緊急通報システム端末装置は、スピーカ及びマイクを有し、緊急通報スイッチ、エアバッグセンサ又は衝突センサからの作動信号を受けて緊急通報センタへ緊急通報を行うと共に前記センタと前記スピーカ及びマイクを介し通話可能な緊急通報システム端末装置であって、
当該緊急通報システム端末装置の動作を確認するための動作確認スイッチと、
前記スピーカの音量及び前記マイクの感度を制御する出力制御手段とを有し、
前記緊急通報スイッチ又は前記動作確認スイッチからの入力により当該緊急通報システム端末装置が作動したとき、前記出力制御手段は、エアバッグセンサ又は衝突センサからの出力により作動したときよりも、前記スピーカの音量及び前記マイクの感度を下げることを特徴とする。
【発明の効果】
【００１０】
本発明によれば、動作する状況に応じて、スピーカ音量及びマイク感度を好適に変更する緊急通報システム端末装置を提供することができる。
【発明を実施するための最良の形態】
【００１１】
以下、図面を参照して、本発明を実施するための最良の形態の説明を行う。
【００１２】
はじめに、緊急通報システムについて簡単に説明を行う。図４は、一実施例である緊急通報システムの全体構成図を示す。緊急通報システムは、本発明の緊急通報システム端末装置が搭載される車輌と、車輌が搭載する無線通信システムを介して緊急通報を受信する緊急通報センタ（ヘルプネットオペレーションセンタともいう。以下、センタという）と、センタからの緊急通報を受けてその緊急事態に対処する警察署、消防署、ＪＡＦ、病院などの緊急通報先とにより構成されている。本実施例の緊急通報システムは、主に車両からセンタへ緊急通報が行われた場合に、センタから緊急通報先へ適切に緊急通報を行う。また、センタにはオペレータが駐留しており、車輌が搭載する緊急通報システム端末装置を用いて音声及び映像による通話が可能である。
【００１３】
（緊急通報システム端末装置の構成）
図１は、本発明による緊急通報システム端末装置１の一実施形態の主要構成を示すシステム構成図である。緊急通報システム端末装置１は、主要な構成として、緊急通報ＥＣＵ（Electrical  Control  Unit）１０１、緊急通報スイッチ１０２、動作確認スイッチ１０３、スピーカ１０４、及びマイク１０５を含む構成である。また、本発明による緊急通報システム端末装置１は、衝突センサ１０６、エアバックセンサ１０７から作動信号を受ける構成である。また、車輌が搭載する通信装置１０８を利用してセンタと通信を行う。なお、衝突センサ１０６、エアバックセンサ１０７、及び通信装置１０８は、一般的に車輌は緊急通報システム端末装置１と別機構として有しているので該構成としたものである。勿論、緊急通報システム端末装置１に含める構成としてもよい。以下、説明を行う。
【００１４】
緊急通報ＥＣＵ１０１は、プログラムを実行するＣＰＵ、ナビゲーションプログラムを記憶した記憶装置（ハードディスクドライブ、ＲＯＭなど）、データやプログラムを一時的に記憶するＲＡＭ等がバスを介して接続された周知のコンピュータとして構成される。
【００１５】
緊急通報スイッチ１０２は、緊急通報システム端末装置１の動作を開始させるスイッチである。乗車者により操作される。動作確認スイッチ１０３は、緊急通報システム端末装置１の動作を確認するためのスイッチで、緊急通報システム端末装置１の動作を開始させるスイッチである。例えば、保守点検時などに保守点検者により操作される。
【００１６】
衝突センサ１０６は、車輌の衝突を検出するためのセンサであり、例えば、ピエゾ抵抗型、静電容量型、または磁気センサ型の加速度センサを用いて、車輌に加わる縦、横、高さの３方向の加速度を測定し、測定した各方向の加速度から車輌の動きを割り出して衝突の有無を検出する。
【００１７】
エアバックセンサ１０７は、衝突事故時などに作動するエアバック装置システムの作動を検知する。車両は、車輌衝突時に乗車者を保護するためのエアバッグを作動展開させるエアバッグ装置システムを備えている。エアバックセンサ１０７は、エアバック装置システムと連動して緊急通報システムを作動（自動緊急通報）するために用いられる構成である。
【００１８】
スピーカ１０４は、緊急通報システム端末装置１からの音声含む音を出力する装置である。マイク１０５は、緊急通報システム端末装置１へ音声含む音を入力する装置である。例えば、スピーカ１０４は、緊急通報システム作動開始案内、緊急通報音、及び前記オペレータとの通話音を出力する。マイク１０５は、乗車者から前記オペレータへの通話音を入力する。なお、スピーカ１０４及びマイク１０５は、オーディオ設備に用いられるものでもよい。
【００１９】
通信装置１０８は、センタや緊急通信先との通信を行う無線通信装置である。車輌は、通信装置１０８を用いて通信ネットワークを通じてセンタへ車輌の各種情報を送信することができ、また、センタから通信ネットワークを通じて送信される情報を受信することができる。また、マイクに入力される乗車者の音声をセンタへ送信することができ、また、センタのオペレータの音声をスピーカから受信することができる。
【００２０】
（機能）
図２は、本発明による緊急通報システム端末装置１の一実施形態の機能ブロック図である。緊急通報システム端末装置１は、信号入力部２０１、緊急通報システム制御部２０２、出力制御部２０３を含む機能を有している。
【００２１】
信号入力部２０１は、緊急通報スイッチ１０２、動作確認スイッチ１０３、衝突センサ１０６、エアバックセンサ１０７から作動信号の入力を受ける。信号入力部２０１は、入力された作動信号を緊急通報システム制御部２０２及び出力制御部２０３に入力する。
【００２２】
緊急通報システム制御部２０２は、緊急通報システムに関する機能を提供する。緊急通報システム制御部２０２は、作動信号を検知すると、自身に備える緊急通報フラグをＯＮにするとともに、緊急通報システム端末装置１の全体の動作として緊急通報処理を開始する。例えば、信号入力部２０１からの作動信号を受けて通信装置１０８を利用して緊急通報センタへ緊急通報を行う。また、センタのオペレータとの音声及び映像による通話（リモート通話）を実現する。
【００２３】
出力制御部２０３は、信号入力部２０１からの作動信号に基づいて、スピーカ１０４の音量制御及びマイク１０５の感度制御を行う。例えば、衝突センサ１０６からの作動信号を受けたとき、スピーカ１０４の音量を「大」とし、マイク１０５の感度を「大」に設定する制御を行う。また、緊急通報スイッチ１０２からの作動信号を受けたとき、スピーカ１０４の音量を「中」とし、マイク１０５の感度を「中」に設定する制御を行う。なお、出力制御部２０３は、スピーカ１０４の音量制御及びマイク１０５の感度制御以外の制御については、緊急通報システムを司る緊急通報システム制御部２０２からの（スピーカ１０４及びマイク１０５の）制御を受ける。
【００２４】
なお、上述した各機能部は、実際にはＣＰＵが実行するプログラムにより実現される。
【００２５】
（動作）
図３は、本実施例の緊急通報システム端末装置１により実現される主要処理の流れの一例である実施例を示すフローチャートである。以下、図３を参照しつつ説明を行う。
【００２６】
図２においてステップＳ３０１で、緊急通報スイッチ１０２、動作確認スイッチ１０３、衝突センサ１０６、エアバックセンサ１０７から信号入力部２０１に作動信号が入力される。
【００２７】
ステップＳ３０２に進み、緊急通報システム制御部２０２は、緊急通報システム端末装置１の全体の動作として緊急通報処理を開始する。
【００２８】
ステップＳ３０３に進み、入力された作動信号が動作確認スイッチ１０３からの信号である場合には、ステップＳ３０４に進み、入力された作動信号が動作確認スイッチ１０３からの信号でない場合には、ステップＳ３０５に進む。
【００２９】
ステップＳ３０４で、出力制御部２０３は、スピーカ音量及びマイク感度を「中」もしくは「小」に設定する。この場合、緊急通報システム端末装置１は、動作確認のために動作開始された場合であり、スピーカ音量及びマイク感度を「大」とする必要性は弱く、むしろ「中」もしくは「小」レベルの適音量及び適感度が好適である。なお、動作確認とは、例えば、緊急通報システム端末装置１の動作を確認するための保守点検などがある。保守点検時には、保守点検者がテスト的に緊急通報システム端末装置１を動作させ、緊急通報が行われるか、センタのオペレータとの通話が可能か、などのシステム動作点検が行われる。
【００３０】
一方、ステップＳ３０５に進み、入力された作動信号が緊急通報スイッチ１０２からの信号である場合には、ステップＳ３０６に進み、入力された作動信号が緊急通報スイッチ１０２からの信号でない場合には、ステップＳ３０７に進む。
【００３１】
ステップＳ３０６で、出力制御部２０３は、スピーカ音量及びマイク感度を「中」に設定する。この場合、緊急通報システム端末装置１は、乗車者の緊急通報スイッチ操作（手動操作）で動作開始された場合であるが、状況としては例えば、乗車者の急病時等が考えられる。乗車者は車輌内にとどまっておりセンタのオペレータを車内で通話などを行う。よって必要以上に、スピーカ音量及びマイク感度を「大」とする必要性は弱く、むしろ「中」レベルの適音量及び適感度が好適である。
【００３２】
一方、ステップＳ３０７に進み、出力制御部２０３は、スピーカ音量及びマイク感度を「大」に設定する。この場合、緊急通報システム端末装置１は、衝突センサ１０６による衝突検知、エアバックセンサ１０７によるエアバック装置システム作動検知で動作開始された場合であるが、状況としては例えば、衝突などの事故時等が考えられる。事故の影響で乗車者は冷静さを失っている場合、車内で身動きが取れない場合がある。また上述の如く車輌内にとどまっては危険な場合は、迅速に車外に避難する必要があり、特に高速道路などでの事故では、後続車追突の危険性があるため、乗車者は車外に出てガードレールの外などの安全な場所に退避する必要がある。よって、スピーカ音量及びマイク感度を「大」とする必要性は強く、「大」レベルの適音量及び適感度が好適である。
【００３３】
なお、これまでスピーカ音量及びマイク感度を「大」、「中」、「小」と表現したが、相対的な音量及び感度であり、例えば、「中」や「小」に設定された音量は、「大」に設定された音量に比べて小音である。
【００３４】
以上、本実施例の緊急通報システム端末装置１によれば、保守点検時などの動作確認時、乗車者の手動操作による動作開始時、又は車両衝突時などの緊急時など、動作する状況に応じて、スピーカ音量及びマイク感度を好適に変更する緊急通報システムを提供することができる。よって、緊急通報システム端末装置は、必要以上に音量が大き過ぎることなく、またスピーカの音割れによる音質劣化なども防止されるので、利用者に不快を感じさせない。
【００３５】
以上、本発明の好ましい実施例について説明したが、本発明は、上述した実施例に制限されることなく、本発明の範囲を逸脱することなく、上述した実施例に種々の変形及び置換を加えることができる。
【図面の簡単な説明】
【００３６】
【図１】本発明による緊急通報システム端末装置の一実施形態の主要構成を示すシステム構成図である。
【図２】本発明による緊急通報システム端末装置の一実施形態の機能ブロック図である。
【図３】本実施例の緊急通報システム端末装置の主要処理のフローチャートである。
【図４】一実施例である緊急通報システムの全体構成図である。
【符号の説明】
【００３７】
１                     緊急通報システム端末装置
１０２              緊急通報スイッチ
１０３              動作確認スイッチ
１０４              スピーカ
１０５              マイク
１０６              衝突センサ
１０７              エアバックセンサ
１０８              通信装置
２０１              信号入力部
２０２              緊急通報システム制御部
２０３              出力制御部
【図１】
0004883039.tif 000002
【図２】
0004883039.tif 000003
【図３】
0004883039.tif 000004
【図４】
0004883039.tif 000005